(57)【要約】  以下：（Ａ）エチレン、（Ｂ）１以上の脂肪族Ｃ1〜Ｃ20−モノカルボン酸のＣ2〜Ｃ14−アルケニルエステル、又はアクリル酸若しくはメタクリル酸のＣ1〜Ｃ24−アルキルエステル、及び（Ｃｑ）部分的又は完全に四級化された形で存在する少なくとも１の第三級窒素原子を含む、エチレン系不飽和モノマーからの四級化ターポリマー。該四級化ターポリマーは、デポジットを低減又は防止するための、燃料消費を削減するための、並びに、直接噴射式ディーゼルエンジンにおける、特にコモンレール噴射システムを有するディーゼルエンジンにおける出力低下を最小化するための燃料添加剤として適している。【特許請求の範囲】
【請求項１】
以下：
（Ａ）エチレン  ７０〜９８．９モル％、
（Ｂ）
（ｉ）１以上の脂肪族Ｃ1〜Ｃ20−モノカルボン酸のＣ2〜Ｃ14−アルケニルエステル
又は
（ｉｉ）アクリル酸又はメタクリル酸の１以上のＣ1〜Ｃ24−アルキルエステル
１〜１５モル％、及び
（Ｃｑ）部分的又は完全に四級化された形で存在する少なくとも１の第三級窒素原子を含む、少なくとも１のエチレン系不飽和モノマー  ０．１〜１５モル％、
［但し、全てのモノマー成分は合計で１００モル％となるものとする］
からの四級化ターポリマー。
【請求項２】
以下：
（Ａ）エチレン  ７０〜９８．９モル％、
（Ｂ）
（ｉ）１以上の脂肪族Ｃ1〜Ｃ20−モノカルボン酸のＣ2〜Ｃ14−アルケニルエステル
又は
（ｉｉ）アクリル酸又はメタクリル酸の１以上のＣ1〜Ｃ24−アルキルエステル
１〜１５モル％、及び
（Ｃ）少なくとも１の四級化可能な第三級窒素原子を含む、少なくとも１のエチレン系不飽和モノマー  ０．１〜１５モル％、
［但し、全てのモノマー成分は合計で１００モル％となるものとする］
からのターポリマーから、該成分（Ａ）、（Ｂ）及び（Ｃ）の重合に引き続き、該成分（Ｃ）中の少なくとも１の第三級窒素原子を、少なくとも１の四級化剤を用いて部分的又は完全に四級化することにより得ることができる、請求項１記載の四級化ターポリマー。
【請求項３】
以下：
（Ａ）エチレン  ７６〜９６モル％、
（Ｂ）成分（Ｂ）  ３〜１２モル％、及び
（Ｃｑ）成分（Ｃｑ）  １〜１２モル％
からの、請求項１又は２記載の四級化ターポリマー。
【請求項４】
成分（Ｂ）として酢酸ビニルを含有している、請求項１から３までのいずれか１項記載の四級化ターポリマー。
【請求項５】
成分（Ｃｑ）として、２−（Ｎ，Ｎ−ジアルキルアミノ）エチルアクリレート、２−（Ｎ，Ｎ−ジアルキルアミノ）エチルメタクリレート、Ｎ−［３−（Ｎ’，Ｎ’−ジアルキルアミノ）プロピル］アクリルアミド、Ｎ−［３−（Ｎ’，Ｎ’−ジアルキルアミノ）プロピル］メタクリルアミド、Ｎ−アルキル−Ｎ’−ビニルピペラジン、Ｎ−ビニルイミダゾール、ビニルピリジン、及び、アクリル酸又はメタクリル酸とＮ−（β−ヒドロキシエチル）イミダゾール、Ｎ−アルキル−Ｎ’−（β−ヒドロキシエチル）ピペラジン、（β−ヒドロキシエチル）ピリジン及びヒドロキシピリジンとのエステルの群からの少なくとも１の部分的又は完全に四級化されたエチレン系不飽和モノマーを含有している、請求項１から４までのいずれか１項記載の四級化ターポリマー。
【請求項６】
四級化を、エポキシド、ジアルキルスルフェート、ジアルキルスルフィット、ハロゲン化アルキル、ハロゲン化アリールアルキル、アルキルカルボン酸エステル、及びジアルキルカーボネートから選択された少なくとも１の四級化剤を用いて行う、請求項１から５までのいずれか１項記載の四級化ターポリマー。
【請求項７】
１０００〜２０，０００の範囲内の数平均分子量を有している、請求項１から６までのいずれか１項記載の四級化ターポリマー。
【請求項８】
四級化ターポリマーの製造法において、ターポリマーを、以下：
（Ａ）エチレン  ７０〜９８．９モル％、
（Ｂ）
（ｉ）１以上の脂肪族Ｃ1〜Ｃ20−モノカルボン酸のＣ2〜Ｃ14−アルケニルエステル
又は
（ｉｉ）アクリル酸又はメタクリル酸の１以上のＣ1〜Ｃ24−アルキルエステル
１〜１５モル％、及び
（Ｃ）少なくとも１の四級化可能な第三級窒素原子を含む、少なくとも１のエチレン系不飽和モノマー  ０．１〜１５モル％、
［但し、全てのモノマー成分は合計で１００モル％となるものとする］
の成分から重合により製造し、引き続き、少なくとも１の成分（Ｃ）中の少なくとも１の第三級窒素原子を、少なくとも１の四級化剤を用いて部分的又は完全に四級化することを特徴とする方法。
【請求項９】
請求項１から７までのいずれか１項記載の四級化ターポリマー  １０〜５０００質量ｐｐｍを含有する、燃料。
【請求項１０】
直接噴射式ディーゼルエンジンの噴射システムにおける、特にコモンレール噴射システムにおけるデポジットを低減又は防止するための燃料添加剤としての、請求項１から７までのいずれか１項記載の四級化ターポリマーの使用。
【請求項１１】
直接噴射式ディーゼルエンジンの、特にコモンレール噴射システムを有するディーゼルエンジンの燃料消費を削減するための燃料添加剤としての、請求項１から７までのいずれか１項記載の四級化ターポリマーの使用。
【請求項１２】
直接噴射式ディーゼルエンジンにおける、特にコモンレール噴射システムを有するディーゼルエンジンにおける出力低下（パワーロス）を最小化するための燃料添加剤としての、請求項１から７までのいずれか１項記載の四級化ターポリマーの使用。
【発明の詳細な説明】
【技術分野】
【０００１】
本発明は、以下：
（Ａ）エチレン  ７０〜９８．９モル％、
（Ｂ）
（ｉ）１以上の脂肪族Ｃ1〜Ｃ20−モノカルボン酸のＣ2〜Ｃ14−アルケニルエステル
又は
（ｉｉ）アクリル酸又はメタクリル酸の１以上のＣ1〜Ｃ24−アルキルエステル
１〜１５モル％、及び
（Ｃｑ）部分的又は完全に四級化された形で存在する少なくとも１の第三級窒素原子を含む、少なくとも１のエチレン系不飽和モノマー  ０．１〜１５モル％、
［但し、全てのモノマー成分は合計で１００モル％となるものとする］
からの四級化ターポリマーに関する。
【０００２】
さらに、本発明は、かかる四級化ターポリマーの製造法に関する。
【０００３】
さらに、本発明は、かかる四級化ターポリマーの含分を有する燃料に関する。
【０００４】
さらに、本発明は、直接噴射式ディーゼルエンジンの噴射システムにおける、特にコモンレール噴射システムにおけるデポジットを低減又は防止するための燃料添加剤としての、直接噴射式ディーゼルエンジンの、特にコモンレール噴射システムを有するディーゼルエンジンの燃料消費を削減するための燃料添加剤としての、及び、直接噴射式ディーゼルエンジンにおける、特にコモンレール噴射システムを有するディーゼルエンジンにおける出力低下（パワーロス）を最小化するための燃料添加剤としての、該四級化ターポリマーの使用に関する。
【０００５】
直接噴射式ディーゼルエンジンの場合、燃料は、古典的な（副室式）ディーゼルエンジンの場合のように予燃焼室又は渦流室に導入されるのではなく、エンジンの燃焼室に直接達する多孔式噴射ノズルを通じて噴射され、かつ極めて微細に分散（霧状化）される。直接噴射式ディーゼルエンジンの利点は、そのディーゼルエンジンに関する出力が高いことと、それにもかかわらず消費がわずかであることである。さらに、該エンジンは、すでに低回転数で極めて高いトルクを達成する。
【０００６】
現在、燃料をディーゼルエンジンの燃焼室に直接噴射するために、実質的に、慣用の分配型噴射ポンプ、ポンプノズルシステム（ユニットインジェクターシステムないしユニットポンプシステム）、及びコモンレールシステムの三つの方法が用いられている。
【０００７】
コモンレールシステムの場合、ディーゼル燃料は、ポンプから２０００バールまでの圧力でコモンレール（文字通り「共通の導管」）の高圧導管へと搬送される。コモンレールから出発して、分岐管が、燃料を燃焼室に直接噴射する種々のインジェクターへと延びている。その際、コモンレールには常に全圧力がかかっており、これによって多段噴射又は個別の噴射形態が可能となる。それに対して、他の噴射システムの場合には単段噴射のみが可能である。コモンレールにおける噴射は、実質的に三つの群に分類される：（１．）前噴射。この前噴射によって実質的により穏やかな燃焼が達成されるため、激しい燃焼騒音（「ノッキング」）が回避され、かつエンジン運転が静かに感じられる；（２．）特に良好なトルク経過を担う、メイン噴射；及び、（３．）特に低いＮＯｘ値に寄与する後噴射。この後噴射において、燃料は通常は燃焼せずに、残留熱によってシリンダー内で蒸発する。その際に形成される排ガスと燃料との混合物は、排ガス装置へと輸送され、そこで、燃料は、適した触媒の存在で、窒素酸化物ＮＯｘのための還元剤として作用する。
【０００８】
可変のシリンダー個々の噴射は、コモンレール噴射システムにおいて、エンジンの有害物質の放出、例えば窒素酸化物（ＮＯｘ）、一酸化炭素（ＣＯ）及び特に粒子状物質（煤）の放出にプラスの影響を与え得る。これにより例えば、コモンレール噴射システムを備えたエンジンは、ユーロ４規制を、理論的には付加的な微粒子フィルターなしでも満たすことができる。
【０００９】
最新の直接噴射式ディーゼルエンジンにおいては、所定の条件下で、例えば、バイオディーゼル含有燃料、又は例えば亜鉛化合物のような金属不純物を含有する燃料を使用した場合に、インジェクター開口部にデポジットが形成され、このデポジットが燃料の噴射挙動にマイナスの影響を与え、かつそれによりエンジン性能が損なわれることがあり、即ち、特に出力が低下することがあるが、部分的に燃焼性も悪化することがある。デポジットの形成は、インジェクターの構造的な発展により、特にノズル形状の変更（丸められた出口を有するより狭い円錐形の開口部）により、さらに増大される。エンジン及びインジェクターの永続的に最適な機能様式のためには、そのようなノズル開口部におけるデポジットは、適切な燃料添加剤によって防止又は低減されねばならない。
【００１０】
従って、本発明の課題は、上記の欠点を排除する、特に、直接噴射式ディーゼルエンジンの噴射システムにおける、とりわけインジェクターにおけるデポジットを防止又は低減し、直接噴射式ディーゼルエンジンの燃料消費を削減し、かつそのようなエンジンにおける出力低下を最小化する燃料添加剤を提供することであった。
【００１１】
従来技術から、Ｃ8〜Ｃ200−アルキルコハク酸イミド又はＣ8〜Ｃ200−アルケニルコハク酸イミドは、例えば中間留分燃料及びオットー燃料のような燃料のための清浄添加剤として知られている。例えばＷＯ０２／０９２６４５（１）には、例えばディーゼル燃料、暖房用油(Heizoelen)若しくはオットー燃料といった燃料への、又は潤滑剤への添加剤としての、ポリアルケニルコハク酸イミド、例えばポリイソブテニルコハク酸イミドが記載されており、該イミドは、  −明らかに製造に起因して−  相応するポリアルケニルコハク酸アミド又はポリアルケニルコハク酸半アミドを３０質量％まで含有し得る。このポリアルケニルコハク酸イミドは、エンジンのデポジット及び噴射ノズル上のデポジットを抑制するとされている。
【００１２】
ＷＯ２００６／１０００８３（２）から、特定の清浄添加剤が、例えばコモンレール噴射システムを有するディーゼルエンジンのような直接噴射式ディーゼルエンジンの排ガス放出における粒子状物質の量を削減することが知られている。清浄添加剤として、とりわけ、無水コハク酸から誘導された、ヒドロキシ基及び／又はアミノ基及び／又はアミド基及び／又はイミド基を有する群を含有する添加剤、例えば、特に脂肪族ポリアミンを有するポリイソブテニルコハク酸無水物の相応する誘導体が挙げられる。ヒドロキシ基及び／又はアミノ基及び／又はアミド基及び／又はイミド基を有する群は、例えば、カルボン酸基、モノアミンの酸アミド、アミド官能基の他にさらに遊離アミノ基を有するジアミン若しくはポリアミンの酸アミド、酸官能基及びアミド官能基を有するコハク酸誘導体、モノアミンを有するカルボン酸イミド、イミド官能基の他にさらに遊離アミン基を有するジアミン若しくはポリアミンを有するカルボン酸イミド、又は、ジアミン若しくはポリアミンと２つのコハク酸誘導体との反応により形成されるジイミドである。
【００１３】
ＥＰ１８８７０７４Ａ１（３）には、ヒドロカルビル置換コハク酸又はその無水物、例えばポリイソブテニルコハク酸無水物とヒドラジンとの反応生成物を使用した、ディーゼルエンジンにおけるインジェクターデポジットの除去又は低減のための方法が記載されている。この反応生成物は、半ヒドラジド構造体とも称される。
【００１４】
未公開の欧州特許出願第０９１６６７２９．５号（４）には、直接噴射式ディーゼルエンジンのインジェクターにおけるデポジットを防止又は低減するための、並びにそのようなエンジンにおける出力損失を最小化するための燃料添加剤としての、一緒になってベタイン構造を形成し得る塩基性窒素官能基少なくとも１当量と遊離カルボキシル基少なくとも１当量とを有する低分子又は高分子の有機化合物が記載されている。そのようなベタイン構造は、例えば無水コハク酸とＮ−（１−アミノプロピルイミダゾール）とからの半アミドにおいて存在し得る。
【００１５】
ＷＯ２００６／１３５８８１（５）には、オレフィンと無水マレイン酸とのエン反応により得ることができるヒドロカルビル置換されたアシル化剤と、付加的な第三級アミノ基を有するアミンとの縮合、及び、引き続く、第三級アミノ基から第四級アンモニウム塩への四級化が記載されており、該第四級アンモニウム塩は、内燃機関の入口系の清浄化及び清浄保持のための燃料添加剤として適している。
【００１６】
上記の従来技術から知られており、かつ実地でしばしば使用されているＣ8〜Ｃ200−アルキルコハク酸イミド又はＣ8〜Ｃ200−アルケニルコハク酸イミド、例えばポリイソブテニルコハク酸イミド及び類似の系は、上記の特定の課題を不十分な範囲でしか解決することができないが、これを本発明においてさらなる燃料添加剤として副次的な量で併用することは問題にはならない。
【００１７】
前記課題は、冒頭に挙げられた、成分（Ａ）、（Ｂ）及び（Ｃｑ）からの四級化ターポリマーの使用により解決される。
【００１８】
好ましくは、本発明による四級化ターポリマーは、以下：
（Ａ）エチレン  ７０〜９８．９モル％、
（Ｂ）
（ｉ）１以上の脂肪族Ｃ1〜Ｃ20−モノカルボン酸のＣ2〜Ｃ14−アルケニルエステル
又は
（ｉｉ）アクリル酸又はメタクリル酸の１以上のＣ1〜Ｃ24−アルキルエステル
１〜１５モル％、及び
（Ｃ）少なくとも１の四級化可能な第三級窒素原子を含む、少なくとも１のエチレン系不飽和モノマー  ０．１〜１５モル％、
［但し、全てのモノマー成分は合計で１００モル％となるものとする］
からのターポリマーから、該成分（Ａ）、（Ｂ）及び（Ｃ）の重合に引き続き、該成分（Ｃ）中の少なくとも１の第三級窒素原子を、少なくとも１の四級化剤を用いて部分的又は完全に四級化することにより得ることができる。
【００１９】
好ましくは、本発明によるターポリマーは、以下：
（Ａ）エチレン  ７６〜９６モル％、
（Ｂ）成分（Ｂ）  ３〜１２モル％、及び
（Ｃｑ）成分（Ｃｑ）  １〜１２モル％
からなる。
【００２０】
四級化ターポリマーの製造法において、ターポリマーを、以下：
（Ａ）エチレン  ７０〜９８．９モル％、
（Ｂ）
（ｉ）１以上の脂肪族Ｃ1〜Ｃ20−モノカルボン酸のＣ2〜Ｃ14−アルケニルエステル
又は
（ｉｉ）アクリル酸又はメタクリル酸の１以上のＣ1〜Ｃ24−アルキルエステル
１〜１５モル％、及び
（Ｃ）少なくとも１の四級化可能な第三級窒素原子を含む、少なくとも１のエチレン系不飽和モノマー  ０．１〜１５モル％、
［但し、全てのモノマー成分は合計で１００モル％となるものとする］
の成分から重合により製造し、引き続き、成分（Ｃ）中の少なくとも１の第三級窒素原子を、少なくとも１の四級化剤を用いて部分的又は完全に四級化することを特徴とする方法も本発明の対象である。
【００２１】
成分（Ｂ）の実施態様（ｉ）のための１以上の脂肪族Ｃ1〜Ｃ21−モノカルボン酸のＣ2〜Ｃ14−アルケニルエステルとして、特に、２〜１８個の炭素原子を有する脂肪族モノカルボン酸のビニルエステル及びプロペニルエステルが適しており、その炭化水素基は直鎖状であっても分枝鎖状であってもよい。このうち、ビニルエステルが有利である。アルケニル基に関係なく、このために、モノカルボン酸として、２〜１６個、特に２〜１０個の炭素原子を有するモノカルボン酸が特に好ましい。分枝鎖状の炭化水素基を有するカルボン酸のうち、分岐がカルボキシル基に対してα位に存在するものが好ましく、その際、該α炭素原子は特に好ましくは第三級であり、即ち、該カルボン酸はいわゆるネオカルボン酸である。しかしながら、好ましくは、カルボン酸の炭化水素基は直鎖状である。適したカルボン酸アルケニルエステル（ｉ）についての例は、酢酸ビニル、プロピオン酸ビニル、酪酸ビニル、２−エチルヘキサン酸ビニル、ネオペンタン酸ビニルエステル、ヘキサン酸ビニルエステル、ネオノナン酸ビニルエステル、ネオデカン酸ビニルエステル、及び相応するプロペニルエステルであり、その際、ビニルエステルが好ましい。
【００２２】
成分（Ｂ）の実施態様（ｉｉ）のためのアクリル酸又はメタクリル酸のＣ1〜Ｃ24−アルキルエステルとして、特に、アクリル酸及びメタクリル酸とＣ1〜Ｃ12−アルカノール、特にＣ1〜Ｃ4−アルカノール、とりわけ、メタノール、エタノール、プロパノール、イソプロパノール、ｎ−ブタノール、ｓ−ブタノール、イソブタノール、ｔ−ブタノール、ペンタノール、ヘキサノール、ヘプタノール、オクタノール、２−エチルヘキサノール、ノナノール及びデカノールとのエステルが適している。
【００２３】
本発明による四級化ターポリマーは、成分（Ｂ）の２以上のモノマー種（ｉ）及び／又は（ｉｉ）、即ち、２以上の互いに異なるカルボン酸アルケニルエステル（ｉ）、又は、２以上の互いに異なるアクリル酸エステル又はメタクリル酸エステル（ｉｉ）、又は、少なくとも１のカルボン酸アルケニルエステル（ｉ）及び少なくとも１のアクリル酸エステル又はメタクリル酸エステル（ｉｉ）を重合導入により含んでいてもよく、その際、これらは、アルケニル官能基及び／又はカルボン酸基及び／又はアルコール基が異なっている。
【００２４】
成分（Ｂ）として、酢酸ビニルが特に好ましい。
【００２５】
少なくとも１の四級化可能な窒素原子を含むエチレン系不飽和モノマー（Ｃ）として、特に、カルボキシル誘導体、例えば、カルボキシル誘導体官能基のカルボニルと離れた側の側鎖中に少なくとも１の四級化可能な第三級窒素原子を有する、エチレン系不飽和モノカルボン酸又はジカルボン酸の、例えばアクリル酸又はメタクリル酸の、又はマレイン酸の、カルボン酸エステル、カルボン酸アミド又はカルボン酸イミドが適している。モノマー（Ｃ）として好適な化合物は、しばしば、一般式（Ｉ）：
【化１】
2013529232.tif 000002
［式中、
変項Ｒ1は、水素（アクリル酸誘導体に関して）又はメチル（メタクリル酸誘導体に関して）を意味し、変項Ｘは、Ｏ、ＮＨ又はＮＲ4を表し、かつ、変項Ｒ2、Ｒ3及びＲ4は、互いに無関係にＣ1〜Ｃ20−アルキル基を表し、かつ、変項ｎは、１〜１２の数、特に２〜６の数、とりわけ２又は３の数を表す］
の化合物である。
【００２６】
一般式（Ｉ）の化合物についての典型的な例は、２−（Ｎ，Ｎ−ジメチルアミノ）エチルアクリレート、２−（Ｎ，Ｎ−ジメチルアミノ）エチルメタクリレート、Ｎ−［２−（Ｎ’，Ｎ’−ジメチルアミノ）エチル］アクリル酸アミド、Ｎ−［２−（Ｎ’，Ｎ’−ジメチルアミノ）エチル］メタクリル酸アミド、３−（Ｎ，Ｎ−ジメチルアミノ）プロピルアクリレート、３−（Ｎ，Ｎ−ジメチルアミノ）プロピルメタクリレート、Ｎ−［３−（Ｎ’，Ｎ’−ジメチルアミノ）プロピル］アクリル酸アミド、Ｎ−［３−（Ｎ’，Ｎ’−ジメチルアミノ）プロピル］メタクリル酸アミド、２−（Ｎ，Ｎ−ジエチルアミノ）エチルメタクリレート、Ｎ−［２−（Ｎ，Ｎ−ジエチルアミノ）エチル］アクリル酸アミド、Ｎ−［２−（Ｎ，Ｎ−ジエチルアミノ）エチル］メタクリル酸アミド、３−（Ｎ，Ｎ−ジエチルアミノ）プロピルアクリレート、３−（Ｎ，Ｎ−ジエチルアミノ）プロピルメタクリレート、Ｎ−［３−（Ｎ，Ｎ−ジエチルアミノ）プロピル］アクリル酸アミド、及びＮ−［３−（Ｎ，Ｎ−ジエチルアミノ）プロピル］メタクリル酸アミドである。
【００２７】
さらに、モノマー（Ｃ）として、アルケニル置換基、特にビニル基、アクリレート基又はメタクリレート基を有しており、かつ少なくとも１の四級化可能な第三級窒素原子を環中に有している、飽和の、部分的に不飽和の、又は不飽和の５員複素環又は６員複素環が適している。ここで、アクリレート基又はメタクリレート基は、適宜、複素環上のヒドロキシアルキレン側鎖、特にω−ヒドロキシ−Ｃ1〜Ｃ4−アルキレン側鎖を介して、アクリル酸又はメタクリル酸とのエステル結合により生成される。ヒドロキシ官能基を介したアクリル酸又はメタクリル酸との結合に関与する側鎖が複素環中の炭素原子上に存在している場合には、複素環上に直接位置している、即ち、アルキレン橋かけなしで結合しているヒドロキシ基も、アクリル酸又はメタクリル酸と結合する。このような、アルケニル置換基含有の、飽和の、部分的に不飽和の、又は不飽和の５員複素環又は６員複素環についての例は、Ｎ−ビニルイミダゾール、Ｎ−ビニルベンゾイミダゾール、Ｎ−ビニルピラゾール、Ｎ−ビニル−３−イミダゾリン、Ｎ−（Ｃ1〜Ｃ20−アルキル）−Ｎ’−ビニルピペラジン、例えばＮ−メチル−Ｎ’−ビニルピペラジン、２−ビニルピリジン、３−ビニルピリジン又は４−ビニルピリジン、並びに、アクリル酸又はメタクリル酸と、Ｎ−（β−ヒドロキシエチル）イミダゾール、Ｎ−（β−ヒドロキシエチル）ベンゾイミダゾール、Ｎ−（β−ヒドロキシエチル）ピラゾール、Ｎ−（β−ヒドロキシエチル）−３−イミダゾリン、Ｎ−（Ｃ1〜Ｃ20−アルキル）−Ｎ’−（β−ヒドロキシエチル）ピペラジン、例えばＮ−メチル−Ｎ’−（β−ヒドロキシエチル）ピペラジン、２−（β−ヒドロキシエチル）ピリジン、３−（β−ヒドロキシエチル）ピリジン、４−（β−ヒドロキシエチル）ピリジン、２−ヒドロキシピリジン、３−ヒドロキシピリジン及び４−ヒドロキシピリジンとのエステルである。
【００２８】
モノマー（Ｃ）中に置換基として存在していてよいＣ1〜Ｃ20−アルキル基として、例えば、メチル、エチル、ｎ−プロピル、イソプロピル、ｎ−ブチル、イソブチル、ｓ−ブチル、ｔ−ブチル、ｎ−ペンチル、ｓ−ペンチル、ｔ−ペンチル、ｎ−ヘキシル、ｎ−ヘプチル、ｎ−オクチル、２−エチルヘキシル、ｎ−ノニル、イソノニル、２−プロピルヘプチル、ｎ−デシル、ｎ−ドデシル、ｎ−トリデシル、イソトリデシル、ｎ−テトラデシル、ｎ−ヘキシデシル、ｎ−オクタデシル及びエイコシルが考慮し得る。このうち、メチル、エチル、ｎ−プロピル、イソプロピル、ｎ−ブチル、イソブチル、ｓ−ブチル及びｔ−ブチルが好ましく、メチルが特に好ましい。
【００２９】
好ましい一実施態様において、本発明による四級化ターポリマーは、成分（Ｃｑ）として、２−（Ｎ，Ｎ−ジアルキルアミノ）−エチルアクリレート、２−（Ｎ，Ｎ−ジアルキルアミノ）エチルメタクリレート、Ｎ−［３−（Ｎ’，Ｎ’−ジアルキルアミノ）プロピル］−アクリルアミド、Ｎ−［３−（Ｎ’，Ｎ’−ジアルキルアミノ）プロピル］メタクリルアミド、Ｎ−アルキル−Ｎ’−ビニルピペラジン、Ｎ−ビニルイミダゾール、ビニルピリジン、及び、アクリル酸又はメタクリル酸と、Ｎ−（β−ヒドロキシエチル）イミダゾール、Ｎ−アルキル−Ｎ’−（β−ヒドロキシエチル）ピペラジン、（β−ヒドロキシエチル）ピリジン及びヒドロキシピリジンとのエステルの群からの、少なくとも１の部分的又は完全に四級化されたエチレン系不飽和モノマーを含む。ここで、アルキル置換基として、メチル、エチル、ｎ−プロピル、イソプロピル、ｎ−ブチル、イソブチル、ｓ−ブチル及びｔ−ブチルが好ましく、メチルが特に好ましい。
【００３０】
四級化剤として、原則的にそのようなものとして適した全ての化合物が考慮される。しかしながら、好ましくは、モノマー（Ｃ）中の少なくとも１の四級化可能な第三級窒素原子の四級化は、エポキシド、ジアルキルスルフェート、ジアルキルスルフィット、ハロゲン化アルキル、ハロゲン化アリールアルキル、アルキルカルボン酸エステル及びジアルキルカーボネートから選択された少なくとも１の四級化剤を用いて行われる。
【００３１】
エポキシドとして、例えばＣ2〜Ｃ12−アルキレンオキシド、例えばエチレンオキシド、プロピレンオキシド、１，２−ブチレンオキシド、２，３−ブチレンオキシド、２−メチル−１，２−プロペンオキシド（イソブテンオキシド）、１，２−ペンテンオキシド、２，３−ペンテンオキシド、２−メチル−１，２−ブテンオキシド、３−メチル−１，２−ブテンオキシド、１，２−ヘキセンオキシド、２，３−ヘキセンオキシド、３，４−ヘキセンオキシド、２−メチル−１，２−ペンテンオキシド、２−エチル−１，２−ブテンオキシド、３−メチル−１，２−ペンテンオキシド、１，２−デセンオキシド、１，２−ドデセンオキシド又は４−メチル−１，２−ペンテンオキシド、並びに、芳香族基で置換されたエチレンオキシド、例えばスチレンオキシド又は４−メチル−スチレンオキシドが適している。
【００３２】
四級化剤としてエポキシドが使用される場合には、該エポキシドは好ましくは、プロトン酸、特にＣ1〜Ｃ12−モノカルボン酸、例えばギ酸、酢酸若しくはプロピオン酸、又は、Ｃ2〜Ｃ12−ジカルボン酸、例えばシュウ酸若しくはアジピン酸と組み合わせて使用されるが、しかしながら、スルホン酸、例えばベンゼンスルホン酸若しくはトルエンスルホン酸、又は、水性鉱酸、例えば硫酸若しくは塩酸も適している。
【００３３】
ジアルキルスルフェートとして、好ましくは、ジ−（Ｃ1〜Ｃ20−アルキル）スルフェート、特に、ジ−（Ｃ1〜Ｃ4−アルキル）スルフェート、例えばジメチルスルフェート又はジエチルスルフェートが適している。四級化の後に、生じた副生成物、例えば、モノアルキルスルフェート及びスルフェートを、アニオン交換体での処理により除去することができる。
【００３４】
ジアルキルスルフィットとして、好ましくは、ジ−（Ｃ1〜Ｃ20−アルキル）スルフィット、特に、ジ−（Ｃ1〜Ｃ4−アルキル）スルフィット、例えばジメチルスルフィット又はジエチルスルフィットが適している。四級化の後に、生じた副生成物、例えば、モノアルキルスルフェート及びスルフィットを、アニオン交換体での処理により除去することができる。
【００３５】
ハロゲン化アルキルとして、好ましくは、Ｃ1〜Ｃ20−フッ化アルキル、Ｃ1〜Ｃ20−塩化アルキル、Ｃ1〜Ｃ20−臭化アルキル又はＣ1〜Ｃ20−ヨウ化アルキル、特にＣ1〜Ｃ4−フッ化アルキル、Ｃ1〜Ｃ4−塩化アルキル、Ｃ1〜Ｃ4−臭化アルキル又はＣ1〜Ｃ4−ヨウ化アルキル、例えば塩化メチル、臭化メチル、ヨウ化メチル、塩化エチル、臭化エチル又はヨウ化エチルが適している。四級化の後に、生じた副生成物、例えばハロゲン化物アニオンを、アニオン交換体での処理により除去することができる。
【００３６】
ハロゲン化ベンジルとして、例えば塩化ベンジル、臭化ベンジル又はヨウ化ベンジルが適しており、ベンジル基のベンゼン核は、原則的にさらに１以上の置換基、例えばＣ1〜Ｃ4−アルキル基を有していてよい。四級化の後に、生じた副生成物、例えばハロゲン化物アニオンを、アニオン交換体での処理により除去することができる。
【００３７】
アルキルカルボン酸エステルとして、好ましくは、モノ−又はジ−（Ｃ1〜Ｃ20−アルキル）−モノ−又は−ジカルボン酸エステル、特にモノ−又はジ−（Ｃ1〜Ｃ4−アルキル）−モノ−又は−ジカルボン酸エステルが適しており、その際、ベースとなるモノ−又はジカルボン酸は、１〜１２個ないし２〜１２個の炭素原子を有しており、例えばギ酸メチル又はシュウ酸ジメチルである。エポキシドの場合と同様に、四級化剤としてアルキルカルボン酸エステルが使用される場合には、該アルキルカルボン酸エステルを、好ましくは、プロトン酸、特にＣ1〜Ｃ12−モノカルボン酸、例えばギ酸、酢酸若しくはプロピオン酸、又は、Ｃ2〜Ｃ12−ジカルボン酸、例えばシュウ酸若しくはアジピン酸、またさらには、スルホン酸、例えばベンゼンスルホン酸若しくはトルエンスルホン酸、又は、水性鉱酸、例えば硫酸若しくは塩酸と組み合わせて使用することがしばしば勧められる。
【００３８】
アルキルカーボネートとして、好ましくは、ジ−（Ｃ1〜Ｃ20−アルキル）カーボネート、特にジ−（Ｃ1〜Ｃ4−アルキル）カーボネート、例えばジメチルカーボネート又はジエチルカーボネートが適している。
【００３９】
本発明による成分（Ａ）、（Ｂ）及び（Ｃｑ）からの四級化ターポリマーのための前駆体として利用されるモノマー（Ａ）、（Ｂ）及び（Ｃ）からのターポリマーは、公知でかつ通常の重合技術により製造可能である。これら３つのモノマー成分（Ａ）、（Ｂ）及び（Ｃ）からの混合物を、溶液重合、懸濁重合又は好ましくは塊状重合させることができる。通常は、このために、例えばＥＰ−Ａ００７５９０、ＤＥ−Ａ３１４１５０７及びその中で引用されている刊行物中に記載されているような高圧重合法が用いられ、かつ、５０〜５０００バール、特に１０００〜２５００バール、とりわけ５００〜２０００バール、典型的には１６００〜１８００バールの圧力で、かつ、５０〜４５０℃、特に１００〜３５０℃、とりわけ１５０〜２５０℃、典型的には２１０〜２３０℃の温度で作業される。このための重合装置として、特に連続運転式管型反応器が適している。好ましくは、該重合はラジカル分解性の開始剤により開始され、このために、適宜付加的に供給された有機ペルオキシド及び／又はヒドロペルオキシドの存在での、空気又は酸素が適している。有機ペルオキシドないしヒドロペルオキシドとして、例えば、ジイソプロピルベンゼンヒドロペルオキシド、クメンヒドロペルオキシド、メチルイソブチルケトンペルオキシド、ジ−ｔ−ブチルペルオキシド及びｔ−ブチルペリイソノネートが考慮される。さらに、適した調節剤、例えば脂肪族アルデヒドを、重合の際に併用することができる。
【００４０】
モノマー（Ａ）、（Ｂ）及び（Ｃ）の重合に引き続く四級化は、同様に、公知でありかつこのために通常の作業技術により実施される。その際、典型的には、１５〜１５０℃、特に２０〜１１０℃の温度で、かつ常圧で作業される。四級化反応は、不活性有機溶剤、例えばトルエン又はキシレン中で実施されてよい。四級化可能な第三級窒素原子１当量あたり、通常は、０．１〜１．５当量、特に０．５〜１．２５当量の四級化剤が使用され、その際、該四級化剤は、単独の化学化合物であってもよいし、四級化に適した種々の化学化合物の混合物であってもよい。プロトン酸が併用される場合には、該プロトン酸は、通常は、四級化剤に対して等モルか又は２．５倍までの過剰で使用され、その際、単独のプロトン酸が使用されてもよいし、種々のプロトン酸の混合物が使用されてもよい。
【００４１】
本発明による四級化ターポリマーは、好ましくは、（それぞれゲル浸透クロマトグラフィーにより測定された）１０００〜２０，０００、特に１２５０〜１５，０００、とりわけ１５００〜１０，０００の範囲内の数平均分子量（Ｍn）を有する。
【００４２】
本発明による四級化ターポリマーは、燃料添加剤として抜群に適しており、かつ、原則的にいかなる燃料においても使用可能である。該四級化ターポリマーによって、燃料での内燃機関の運転に際して極めて多くの有利な効果が生じる。好ましくは、本発明による四級化ターポリマーは、オットー燃料において、しかしながら特に中間留分燃料において使用される。
【００４３】
従って、本発明による四級化ターポリマーの、内燃機関、例えばディーゼルエンジン、特に直接噴射式ディーゼルエンジン、とりわけコモンレール噴射システムを有するディーゼルエンジンの運転に際して有利な効果を達成するための添加剤として有効な含分を有する燃料、特に中間留分燃料も本発明の対象である。この有効な含分（配量率）は、通常は、それぞれ燃料の全量に対して、１０〜５０００質量ｐｐｍ、好ましくは２０〜１５００質量ｐｐｍ、特に２５〜１０００質量ｐｐｍ、とりわけ３０〜７５０質量ｐｐｍである。
【００４４】
本発明による四級化ターポリマーが添加される燃料は、大抵は、オットー燃料、又は特に中間留分燃料、とりわけディーゼル燃料である。該燃料は、効率改善及び摩耗抑制のための他の通常の添加剤を含んでよい。ここでまず第一に、通常の清浄添加剤、キャリアオイル、潤滑性向上剤（潤滑性添加剤）、セタン価向上剤、伝導性向上剤、腐食防止添加剤、消泡剤及び曇り止め剤(Dehazer)が挙げられる。
【００４５】
好ましくは、通常の清浄添加剤は、８５〜２０，０００の数平均分子量（Ｍn）を有する少なくとも１の疎水性炭化水素基と、以下：
（Ｄａ）６個までの窒素原子を有するモノアミノ基又はポリアミノ基であって、その際、少なくとも１個の窒素原子は塩基特性を有しているものとする；
（Ｄｂ）適宜ヒドロキシル基との組合せでの、ニトロ基；
（Ｄｃ）モノアミノ基又はポリアミノ基との組合せでのヒドロキシル基であって、その際、少なくとも１個の窒素原子は塩基特性を有しているものとする；
（Ｄｄ）カルボキシル基、又はそのアルカリ金属塩若しくはアルカリ土類金属塩；
（Ｄｅ）スルホン酸基、又はそのアルカリ金属塩若しくはアルカリ土類金属塩；
（Ｄｆ）ヒドロキシル基、モノアミノ基、ポリアミノ基［但し、少なくとも１個の窒素原子は塩基特性を有しているものとする］、又はカルバメート基を末端に有する、ポリオキシ−Ｃ2〜Ｃ4−アルキレン基；
（Ｄｇ）カルボン酸エステル基；
（Ｄｈ）無水コハク酸から誘導され、ヒドロキシ基及び／又はアミノ基及び／又はアミド基及び／又はイミド基を有する基；及び／又は、
（Ｄｉ）置換フェノールとアルデヒドとモノアミン又はポリアミンとのマンニッヒ反応により生成された基
から選択された少なくとも１の極性基とを有する、両親媒性物質である。
【００４６】
燃料中での十分な溶解性をもたらす上述の清浄添加剤中の疎水性炭化水素基は、８５〜２０，０００、好ましくは１１３〜１０，０００、特に好ましくは３００〜５０００、より好ましくは３００〜３０００、さらに好ましくは５００〜２５００、特に７００〜２５００、とりわけ８００〜１５００の数平均分子量（Ｍn）を有する。典型的な疎水性炭化水素基として、特に極性のものとの関連で、特に、好ましくはそれぞれ３００〜５０００、特に好ましくは３００〜３０００、より好ましくは５００〜２５００、さらに好ましくは７００〜２５００、特に８００〜１５００の数平均分子量Ｍnを有するポリプロペニル基、ポリブテニル基及びポリイソブテニル基が考慮される。
【００４７】
清浄添加剤の上述の基についての例として、以下のものが挙げられる：
モノアミノ基又はポリアミノ基（Ｄａ）を含む添加剤は、好ましくは、３００〜５０００、特に好ましくは５００〜２５００、特に７００〜２５００のＭnを有する、ポリプロペンをベースとする、又は高活性の（即ち、大部分が末端に位置している二重結合を有する）若しくは常用の（即ち、大部分が内部に位置している二重結合を有する）ポリブテン若しくはポリイソブテンをベースとする、ポリアルケンモノアミン又はポリアルケンポリアミンである。ｎ−ブテン単位２０質量％までを含有していてよいポリイソブテンから、ヒドロホルミル化、及び、アンモニア、モノアミン又はポリアミン、例えばジメチルアミノプロピルアミン、エチレンジアミン、ジエチレントリアミン、トリエチレンテトラミン又はテトラエチレンペンタミンでの還元的アミノ化により製造されることができる高反応性ポリイソブテンをベースとするそのような添加剤は、特にＥＰ−Ａ２４４６１６から知られている。添加剤を製造する際、大部分が内部に（大抵はβ位及びγ位に）位置している二重結合を有するポリブテン又はポリイソブテンから出発する場合には、塩素化及び引き続くアミノ化による製造経路か、又は、カルボニル化合物若しくはカルボキシル化合物への空気又はオゾンでの二重結合の酸化及び引き続く還元的（水素化）条件下でのアミノ化による製造経路が考えられる。アミノ化のために、ここでは、アミン、例えばアンモニア、モノアミン、又は上で挙げられたポリアミンを使用することができる。ポリプロペンをベースとする相応する添加剤は、特にＷＯ−Ａ９４／２４２３１に記載されている。
【００４８】
モノアミノ基（Ｄａ）を含むさらなる有利な添加剤は、特にＷＯ−Ａ９７／０３９４６に記載されているような、５〜１００の平均重合度Ｐを有するポリイソブテンと、窒素酸化物又は窒素酸化物及び酸素からの混合物とからの反応生成物の水素化生成物である。
【００４９】
モノアミノ基（Ｄａ）を含むさらなる有利な添加剤は、特にＤＥ−Ａ１９６２０２６２に記載されているような、ポリイソブテンエポキシドから、アミンとの反応及びその後のアミノアルコールの脱水及び還元により得ることができる化合物である。
【００５０】
適宜ヒドロキシル基との組合せでのニトロ基（Ｄｂ）を含む添加剤は、好ましくは、特にＷＯ−Ａ９６／０３３６７及びＷＯ−Ａ９６／０３４７９に記載されているような、５〜１００又は１０〜１００の平均重合度Ｐを有するポリイソブテンと、窒素酸化物又は窒素酸化物及び酸素からの混合物とからの反応生成物である。この反応生成物は、通常は、純粋なニトロポリイソブテン（例えばα，β−ジニトロポリイソブテン）と、混合型のヒドロキシニトロポリイソブテン（例えばα−ニトロ−β−ヒドロキシポリイソブテン）とからの混合物である。
【００５１】
モノアミノ基又はポリアミノ基との組合せでのヒドロキシル基（Ｄｃ）を含む添加剤は、特にＥＰ−Ａ４７６４８５に記載されているような、特に、３００〜５０００のＭnを有し、好ましくは主に末端の二重結合を有しているポリイソブテンから得ることができるポリイソブテンエポキシドと、アンモニア、モノアミン又はポリアミンとの反応生成物である。
【００５２】
カルボキシル基、又はそのアルカリ金属塩若しくはアルカリ土類金属塩（Ｄｄ）を含む添加剤は、好ましくは、５００〜２０，０００の全分子量を有し、カルボキシル基が完全又は部分的にアルカリ金属塩又はアルカリ土類金属塩に変換され、残りのカルボキシル基がアルコール又はアミンと反応した、Ｃ2〜Ｃ40−オレフィンと無水マレイン酸とのコポリマーである。そのような添加剤は、特にＥＰ−Ａ３０７８１５から知られている。このような添加剤は主に弁座摩耗を防ぐために用いられ、ＷＯ−Ａ８７／０１１２６に記載されているように、好ましくはポリ（イソ）ブテンアミン又はポリエーテルアミンのような通常の燃料清浄剤と組み合わせて使用することができる。
【００５３】
スルホン酸基、又はそのアルカリ金属塩若しくはアルカリ土類金属塩（Ｄｅ）を含む添加剤は、好ましくは、特にＥＰ−Ａ６３９６３２に記載されているような、スルホコハク酸アルキルエステルのアルカリ金属塩又はアルカリ土類金属塩である。このような添加剤は主に弁座摩耗を防ぐために用いられ、好ましくはポリ（イソ）ブテンアミン又はポリエーテルアミンのような通常の燃料清浄剤と組み合わせて使用することができる。
【００５４】
ポリオキシ−Ｃ2〜Ｃ4−アルキレン基（Ｄｆ）を含む添加剤は、好ましくはポリエーテル又はポリエーテルアミンであって、該ポリエーテル又はポリエーテルアミンは、Ｃ2〜Ｃ60−アルカノール、Ｃ6〜Ｃ30−アルカンジオール、モノ−Ｃ2〜Ｃ30−アルキルアミン、ジ−Ｃ2〜Ｃ30−アルキルアミン、Ｃ1〜Ｃ30−アルキルシクロヘキサノール又はＣ1〜Ｃ30−アルキルフェノールと、ヒドロキシル基又はアミノ基あたり１〜３０モルのエチレンオキシド及び／又はプロピレンオキシド及び／又はブチレンオキシドとの反応、及び、ポリエーテルアミンの場合にはアンモニア、モノアミン又はポリアミンとの引き続く還元的アミノ化により得られるものである。このような生成物は、特にＥＰ−Ａ３１０８７５、ＥＰ−Ａ３５６７２５、ＥＰ−Ａ７００９８５及びＵＳ−Ａ４８７７４１６に記載されている。ポリエーテルの場合には、これらの生成物はキャリアオイル特性をも満たす。これについての典型的な例は、トリデカノールブトキシレート、イソトリデカノールブトキシレート、イソノニルフェノールブトキシレート、ポリイソブテノールブトキシレート、ポリイソブテノールプロポキシレート、並びにアンモニアとの相当する反応生成物である。
【００５５】
カルボン酸エステル基（Ｄｇ）を含む添加剤は、好ましくは、モノカルボン酸、ジカルボン酸又はトリカルボン酸と、長鎖アルカノール又はポリオールとのエステル、特に、ＤＥ−Ａ３８３８９１８に記載されているような、１００℃で２ｍｍ2／ｓの最小粘度を有するものである。モノカルボン酸、ジカルボン酸又はトリカルボン酸として、脂肪酸又は芳香族の酸を使用することができ、エステルアルコール又はエステルポリオールとして、とりわけ、例えば６〜２４個のＣ原子を有する長鎖のものが好適である。代表的なエステルは、イソオクタノール、イソノナノール、イソデカノール及びイソトリデカノールの、アジペート、フタレート、イソフタレート、テレフタレート及びトリメリテートである。このような生成物はキャリアオイル特性をも満たす。
【００５６】
無水コハク酸から誘導され、ヒドロキシ基及び／又はアミノ基及び／又はアミド基及び／又は特にイミド基を有する基（Ｄｈ）を含む添加剤は、好ましくは、アルキル置換無水コハク酸又はアルケニル置換無水コハク酸の相応する誘導体であり、特に、エン反応において熱的な方法で、又は塩素化ポリイソブテンを介して、好ましくは３００〜５０００、特に好ましくは３００〜３０００、より好ましくは５００〜２５００、さらに好ましくは７００〜２５００、特に８００〜１５００のＭnを有する一般的な又は高反応性のポリイソブテンと無水マレイン酸との反応により得られるポリイソブテニル無水コハク酸の相応する誘導体である。ヒドロキシ基及び／又はアミノ基及び／又はアミド基及び／又はイミド基を有する群は、例えば、カルボン酸基、モノアミンの酸アミド、アミド官能基の他にさらに遊離アミン基を有するジアミン若しくはポリアミンの酸アミド、酸官能基及びアミド官能基を有するコハク酸誘導体、モノアミンを有するカルボン酸イミド、イミド官能基の他にさらに遊離アミン基を有するジアミン若しくはポリアミンのカルボン酸イミド、又は、ジアミン若しくはポリアミンと２つのコハク酸誘導体との反応により形成されるジイミドである。しかしながら、イミド基（Ｄｈ）が存在する場合には、本発明の意味でのさらなる洗浄添加剤は、ベタイン構造を有する化合物の質量の最大で１００％までしか使用されない。このような燃料添加剤は一般に知られており、例えば刊行物（１）及び（２）に記載されている。これは好ましくは、アルキル置換コハク酸若しくはアルケニル置換コハク酸又はその誘導体とアミンとの反応生成物であり、特に好ましくは、ポリイソブテニル置換コハク酸又はその誘導体とアミンとの反応生成物である。その際に特に重要なものは、イミド構造を有する、脂肪族ポリアミン（ポリアルキレンイミン）、例えば特にエチレンジアミン、ジエチレントリアミン、トリエチレンテトラミン、テトラエチレンペンタミン、ペンタエチレンヘキサミン及びヘキサエチレンヘプタミンとの反応生成物である。
【００５７】
置換フェノールとアルデヒドとモノアミン又はポリアミンとのマンニッヒ反応により生成された基（Ｄｉ）を含む添加剤は、好ましくは、ポリイソブテン置換フェノールとホルムアルデヒドとモノアミン又はポリアミン、例えばエチレンジアミン、ジエチレントリアミン、トリエチレンテトラミン、テトラエチレンペンタミン又はジメチルアミノプロピルアミンとの反応生成物である。ポリイソブテニル置換フェノールは、３００〜５０００のＭnを有する一般的な又は高反応性のポリイソブテンから生じることができる。このような「ポリイソブテンマンニッヒ塩基」は、特にＥＰ−Ａ８３１１４１に記載されている。
【００５８】
本発明による四級化ターポリマーに加えて、群（Ｄｈ）からの１以上の清浄添加剤、即ち、無水コハク酸から誘導され、ヒドロキシ基及び／又はアミノ基及び／又はアミド基及び／又はイミド基を有する基を有する清浄添加剤を含む燃料、特に中間留分燃料、とりわけディーゼル燃料において、本発明の基礎をなす課題が特に良好に解決される。
【００５９】
該燃料に、１以上の上記の清浄添加剤が、該清浄添加剤の配量率が好ましくは２５〜２５００質量ｐｐｍ、特に７５〜１５００質量ｐｐｍ、とりわけ１５０〜１０００質量ｐｐｍとなるような量で添加されてよい。
【００６０】
併用されるキャリアオイルは、鉱物性のものであっても合成性のものであってもよい。適した鉱物性キャリアオイルは、石油精製の際に生じる留分、例えばブライトストック、又は、例えばＳＮ  ５００〜２０００のクラスからの粘度を有するベースオイル；しかしまた芳香族炭化水素、パラフィン系炭化水素及びアルコキシアルカノールである。同様に、「ハイドロクラックオイル」として知られ、かつ鉱油の精製の際に生じる留分（約３６０〜５００℃の沸点範囲を有する真空蒸留留分、高圧下で接触水素化されかつ異性化され、かつ脱パラフィンされた天然鉱油から得ることができる）が有用である。上記の鉱物性キャリアオイルの混合物が同様に適している。
【００６１】
適した合成キャリアオイルについての例は、ポリオレフィン（ポリ−α−オレフィン又はポリインターナルオレフィン）、（ポリ）エステル、（ポリ）アルコキシレート、ポリエーテル、脂肪族ポリエーテルアミン、アルキルフェノールを開始剤としたポリエーテル、アルキルフェノールを開始剤としたポリエーテルアミン、及び長鎖アルカノールのカルボン酸エステルである。
【００６２】
適したポリオレフィンについての例は、とりわけポリブテンベース又はポリイソブテンベース（水素化されているか又は水素化されていない）の、４００〜１８００のＭnを有するオレフィンポリマーである。
【００６３】
適したポリエーテル又はポリエーテルアミンについての例は、好ましくは、Ｃ2〜Ｃ60−アルカノール、Ｃ6〜Ｃ30−アルカンジオール、モノ−Ｃ2〜Ｃ30−アルキルアミン、ジ−Ｃ2〜Ｃ30−アルキルアミン、Ｃ1〜Ｃ30−アルキルシクロヘキサノール又はＣ1〜Ｃ30−アルキルフェノールと、ヒドロキシル基又はアミノ基あたり１〜３０モルのエチレンオキシド及び／又はプロピレンオキシド及び／又はブチレンオキシドとの反応、及び、ポリエーテルアミンの場合には、アンモニア、モノアミン又はポリアミンとの引き続く還元的アミノ化により得られる、ポリオキシ−Ｃ2〜Ｃ4−アルキレン基を含む化合物である。このような生成物は、特にＥＰ−Ａ３１０８７５、ＥＰ−Ａ３５６７２５、ＥＰ−Ａ７００９８５及びＵＳ−Ａ４８７７４１６に記載されている。例えば、ポリエーテルアミンとして、ポリ−Ｃ2〜Ｃ6−アルキレンオキシドアミン又はその官能性誘導体を使用することができる。これについての典型的な例は、トリデカノールブトキシレート、イソトリデカノールブトキシレート、イソノニルフェノールブトキシレート、ポリイソブテノールブトキシレート、ポリイソブテノールプロポキシレート、並びにアンモニアとの相当する反応生成物である。
【００６４】
長鎖アルカノールのカルボン酸エステルについての例は、特にＤＥ−Ａ３８３８９１８に記載されているような、特にモノカルボン酸、ジカルボン酸又はトリカルボン酸と長鎖のアルカノール又はポリオールとのエステルである。モノカルボン酸、ジカルボン酸又はトリカルボン酸として、脂肪族又は芳香族の酸が使用されることができ、エステルアルコール又はエステルポリオールとして、例えば６〜２４個の炭素原子を有する長鎖のものがとりわけ適している。代表的なエステルは、イソオクタノール、イソノナノール、イソデカノール及びイソトリデカノールの、アジペート、フタレート、イソフタレート、テレフタレート及びトリメリテート、例えばジ−（ｎ−又はイソトリデシル）フタレートである。
【００６５】
さらなる適したキャリアオイル系は、例えばＤＥ−Ａ３８２６６０８、ＤＥ−Ａ４１４２２４１、ＤＥ−Ａ４３０９０７４、ＥＰ−Ａ４５２３２８及びＥＰ−Ａ５４８６１７に記載されている。
【００６６】
特に適した合成キャリアオイルについての例は、アルコール分子あたり、例えば約５〜３５個、好ましくは例えば約５〜３０個、特に好ましくは１０〜３０個、特に１５〜３０個のＣ3〜Ｃ6−アルキレンオキシド単位、例えばプロピレンオキシド単位、ｎ−ブチレンオキシド単位及びイソブチレンオキシド単位又はその混合物を有する、アルコールを開始剤としたポリエーテルである。適した開始剤アルコールについての限定されない例は、長鎖アルカノール、又は長鎖アルキルで置換されたフェノールであり、その際、長鎖アルキル基は特に、直鎖状又は分枝鎖状のＣ6〜Ｃ18−アルキル基を表す。好ましい例として、トリデカノール及びノニルフェノールを挙げることができる。アルコールを開始剤とした特に好ましいポリエーテルは、一価の脂肪族Ｃ6〜Ｃ18−アルコールとＣ3〜Ｃ6−アルキレンオキシドとの反応生成物（ポリエーテル化生成物）である。一価の脂肪族Ｃ6〜Ｃ18−アルコールについての例は、ヘキサノール、ヘプタノール、オクタノール、２−エチルヘキサノール、ノニルアルコール、デカノール、３−プロピルヘプタノール、ウンデカノール、ドデカノール、トリデカノール、テトラデカノール、ペンタデカノール、ヘキサデカノール、オクタデカノール及びその構造異性体及び位置異性体である。該アルコールは、純粋な異性体の形で使用されてもよいし、工業用混合物の形で使用されてもよい。特に好ましいアルコールは、トリデカノールである。Ｃ3〜Ｃ6−アルキレンオキシドについての例は、プロピレンオキシド、例えば１，２−プロピレンオキシド、ブチレンオキシド、例えば１，２−ブチレンオキシド、２，３−ブチレンオキシド、イソブチレンオキシド、又はテトラヒドロフラン、ペンチレンオキシド及びヘキシレンオキシドである。このうち、特に好ましいものは、Ｃ3〜Ｃ4−アルキレンオキシド、即ち、プロピレンオキシド、例えば１，２−プロピレンオキシド、及びブチレンオキシド、例えば１，２−ブチレンオキシド、２，３−ブチレンオキシド及びイソブチレンオキシドである。特に、ブチレンオキシドが使用される。
【００６７】
さらなる適した合成キャリアオイルは、ＤＥ−Ａ１０１０２９１３に記載されているような、アルコキシ化アルキルフェノールである。
【００６８】
好ましいキャリアオイルは合成キャリアオイルであり、その際、前記のアルコールを開始剤としたポリエーテルが特に好ましい。
【００６９】
該キャリアオイルないし種々のキャリアオイルの混合物は、燃料に、好ましくは１〜１０００質量ｐｐｍ、特に好ましくは１０〜５００質量ｐｐｍ、特に２０〜１００質量ｐｐｍの量で添加される。
【００７０】
さらに、燃料は、さらなる通常の添加剤及び補助添加剤を、このために通常の量で含んでよい。中間留分燃料、特にディーゼル燃料の場合には、該添加剤はとりわけ、低温流動性向上剤、潤滑性向上剤、腐食防止剤、解乳化剤、曇り止め剤、消泡剤、セタン価向上剤、燃焼性向上剤、酸化防止剤又は安定剤、帯電防止剤、メタロセン、金属失活化剤、着色剤及び／又は溶剤である。オットー燃料の場合には、該添加剤はとりわけ、潤滑性向上剤（摩擦調整剤）、腐食防止剤、解乳化剤、曇り止め剤、消泡剤、燃焼性向上剤、酸化防止剤又は安定剤、帯電防止剤、メタロセン、金属失活化剤、着色剤及び／又は溶剤である。
【００７１】
適した低温流動性向上剤は、原則的に、中間留分燃料ないしディーゼル燃料の低温での流動性を向上させることのできる全ての有機化合物である。適宜、該低温流動性向上剤は十分な油溶性を有していなければならない。特に、このために、化石起源からの中間留分において、即ち通常の鉱物性ディーゼル燃料において常用されている低温流動性向上剤（「中間留分流動性向上剤」、「ＭＤＦＩ」）が考慮される。しかしながら、通常のディーゼル燃料における使用に際して部分的又は主にロウ沈降防止添加剤（「ＷＡＳＡ」）の特性を有する有機化合物も使用することもできる。該化合物は、部分的又は主に成核剤としても作用し得る。しかしながら、ＭＤＦＩとして有効な有機化合物、及び／又はＷＡＳＡとして有効な有機化合物、及び／又は成核剤として有効な有機化合物からの混合物を使用することもできる。
【００７２】
典型的には、低温流動性向上剤は、以下：
（Ｋ１）Ｃ2〜Ｃ40−オレフィンと少なくとも１の他のエチレン系不飽和モノマーとのコポリマー；
（Ｋ２）櫛型ポリマー；
（Ｋ３）ポリオキシアルキレン；
（Ｋ４）極性窒素化合物；
（Ｋ５）スルホカルボン酸又はスルホン酸又はそれらの誘導体；及び
（Ｋ６）ポリ（メタ）アクリル酸エステル
から選択される。
【００７３】
それぞれのクラス（Ｋ１）〜（Ｋ６）の１つからの種々のものの混合物を使用することができ、また、種々のクラス（Ｋ１）〜（Ｋ６）からのものの混合物を使用することもできる。
【００７４】
（Ｋ１）のクラスのコポリマーについての適したＣ2〜Ｃ40−オレフィンモノマーは、例えば、２〜２０個、特に２〜１０個の炭素原子と、１〜３個、好ましくは１又は２個、特に１個の炭素−炭素−二重結合とを有するものである。最後に挙げられたものの場合、炭素−炭素−二重結合は末端に配置されていてもよいし（α−オレフィン）、内部に配置されていてもよい。しかしながらα−オレフィンが好ましく、２〜６個の炭素原子を有するα−オレフィン、例えばプロペン、１−ブテン、１−ペンテン、１−ヘキセン、とりわけエチレンが特に好ましい。
【００７５】
（Ｋ１）のクラスのコポリマーにおいて、少なくとも１の他のエチレン系不飽和モノマーは、好ましくは、カルボン酸アルケニルエステル、（メタ）アクリル酸エステル及び他のオレフィンから選択されている。
【００７６】
他のオレフィンが一緒に重合導入される場合、該オレフィンは、好ましくは、上で挙げられたＣ2〜Ｃ40−オレフィンベースモノマーよりも高分子である。例えば、オレフィンベースモノマーとしてエチレン又はプロペンが使用される場合には、他のオレフィンとして特にＣ10〜Ｃ40−α−オレフィンが適している。他のオレフィンは、大抵の場合、カルボン酸エステル官能基を有するモノマーも使用される場合にのみ、一緒に重合導入される。
【００７７】
適した（メタ）アクリル酸エステルは、例えば、（メタ）アクリル酸と、Ｃ1〜Ｃ20−アルカノール、特にＣ1〜Ｃ10−アルカノール、とりわけメタノール、エタノール、プロパノール、イソプロパノール、ｎ−ブタノール、ｓ−ブタノール、イソブタノール、ｔ−ブタノール、ペンタノール、ヘキサノール、ヘプタノール、オクタノール、２−エチルヘキサノール、ノナノール及びデカノール並びにその構造異性体とのエステルである。
【００７８】
適したカルボン酸アルケニルエステルは、例えばＣ2〜Ｃ14−アルケニルエステル、例えば、炭化水素基が直鎖状又は分枝鎖状であってよい２〜２１個の炭素原子を有するカルボン酸のビニルエステル及びプロペニルエステルである。これらの中ではビニルエステルが好ましい。分枝鎖状の炭化水素基を有するカルボン酸の中では、分岐がカルボキシル基に対してα位に存在するものが好ましく、その場合に該α炭素原子は特に好ましくは第三級であり、即ち該カルボン酸はいわゆるネオカルボン酸である。しかしながら好ましくは、カルボン酸の炭化水素基は直鎖状である。
【００７９】
適したカルボン酸アルケニルエステルについての例は、酢酸ビニル、プロピオン酸ビニル、酪酸ビニル、２−エチルヘキサン酸ビニル、ネオペンタン酸ビニルエステル、ヘキサン酸ビニルエステル、ネオノナン酸ビニルエステル、ネオデカン酸ビニルエステル及び相応するプロペニルエステルであり、その場合にビニルエステルが好ましい。特に好ましいカルボン酸アルケニルエステルは酢酸ビニルであり；これから生じる群（Ｋ１）の典型的なコポリマーは、頻繁に使用されるエチレン−酢酸ビニル−コポリマー（「ＥＶＡ」）である。特に有利に使用可能なエチレン−酢酸ビニル−コポリマー及びその製造は、ＷＯ９９／２９７４８に記載されている。
【００８０】
（Ｋ１）のクラスのコポリマーとして、２つ以上の互いに異なるカルボン酸アルケニルエステルを重合導入により含むものも適しており、その場合、該エステルはアルケニル官能基及び／又はカルボン酸基が相違する。カルボン酸アルケニルエステルに加えて、少なくとも１のオレフィン及び／又は少なくとも１の（メタ）アクリル酸エステルを重合導入により含むコポリマーは、同様に適している。
【００８１】
Ｃ2〜Ｃ40−α−オレフィンと、３〜１５個の炭素原子を有するエチレン系不飽和モノカルボン酸のＣ1〜Ｃ20−アルキルエステルと、２〜２１個の炭素原子を有する飽和モノカルボン酸のＣ2〜Ｃ14−アルキルエステルとからのターポリマーも、（Ｋ１）のクラスのコポリマーとして適している。このようなターポリマーは、ＷＯ２００５／０５４３１４に記載されている。典型的なこのようなターポリマーは、エチレン、アクリル酸−２−エチルヘキシルエステル及び酢酸ビニルからなる。
【００８２】
少なくとも１の他のエチレン系不飽和モノマーは、（Ｋ１）のクラスのコポリマー中に、全コポリマーに対して好ましくは１〜５０質量％、特に１０〜４５質量％、とりわけ２０〜４０質量％の量で重合導入されている。従って、（Ｋ１）のクラスのコポリマー中の質量による主要な割合のモノマー単位は、通常はＣ2〜Ｃ40−ベースオレフィンに由来する。
【００８３】
（Ｋ１）のクラスのコポリマーは、好ましくは１０００〜２０，０００、特に好ましくは１０００〜１０，０００、特に１０００〜８０００の数平均分子量Ｍnを有する。
【００８４】
成分（Ｋ２）の典型的な櫛型ポリマーは、例えば、無水マレイン酸又はフマル酸と、その他のエチレン系不飽和モノマー、例えばα−オレフィン又は不飽和エステル、例えば酢酸ビニルとの共重合、及び、引き続く無水物官能基若しくは酸官能基と少なくとも１０個の炭素原子を有するアルコールとのエステル化により得ることができる。他の適した櫛型ポリマーは、α−オレフィンとエステル化コモノマーとのコポリマー、例えばスチレンと無水マレイン酸とのエステル化コポリマー、又はスチレンとフマル酸とのエステル化コポリマーである。ポリフマレート又はポリマレイネートも適した櫛型ポリマーであり得る。さらに、ビニルエーテルのホモポリマー及びコポリマーも適した櫛型ポリマーである。例えば、ＷＯ２００４／０３５７１５、及び"Comb-Like Polymers. Structure and Properties", N. A. Plate及びV. P. Shibaev, J. Poly. Sci. Macromolecular Revs. 8, p. 117-253(1974)"に記載されているものも、（Ｋ２）のクラスの成分として適した櫛型ポリマーである。櫛型ポリマーの混合物も適している。
【００８５】
（Ｋ３）のクラスの成分として適したポリオキシアルキレンは、例えば、ポリオキシアルキレンエステル、ポリオキシアルキレンエーテル、混合型のポリオキシアルキレンエステルエーテル及びそれらの混合物である。好ましくは、前記ポリオキシアルキレン化合物は、それぞれ１０〜３０個の炭素原子を有する直鎖状アルキル基を少なくとも１個、好ましくは少なくとも２個と、５０００までの数平均分子量を有するポリオキシアルキレン基とを有する。このようなポリオキシアルキレン化合物は、例えばＥＰ−Ａ０６１８９５並びにＵＳ４４９１４５５に記載されている。好ましいポリオキシアルキレン化合物は、１００〜５０００の数平均分子量を有するポリエチレングリコール及びポリプロピレングリコールをベースとする。さらに、１０〜３０個の炭素原子を有する脂肪酸、例えばステアリン酸又はベヘン酸のポリオキシアルキレンモノエステル及びポリオキシアルキレンジエステルが適している。
【００８６】
（Ｋ４）のクラスの成分として適している極性窒素化合物は、イオン性であっても非イオン性であってもよく、かつ、好ましくは少なくとも１個、特に好ましくは少なくとも２個の置換基を一般式＞ＮＲ7の第三級窒素原子の形で有しており、ここで、Ｒ7はＣ8〜Ｃ40−炭化水素基を表すものとする。該窒素置換基は四級化されていてもよく、即ちカチオンの形で存在していてもよい。そのような窒素化合物についての例は、少なくとも１個の炭化水素基で置換された少なくとも１つのアミンと、１〜４個のカルボキシル基を有するカルボン酸又はその適した誘導体との反応により得ることができるアンモニウム塩及び／又はアミドである。好ましくは、該アミンは少なくとも１個の直鎖状のＣ8〜Ｃ40−アルキル基を有する。挙げられた極性窒素化合物の製造に適した第一級アミンは、例えばオクチルアミン、ノニルアミン、デシルアミン、ウンデシルアミン、ドデシルアミン、テトラデシルアミン及びより高級の直鎖状同族体であり、これに適した第二級アミンは、例えばジオクタデシルアミン及びメチルベヘニルアミンである。アミン混合物、特に大工業的に入手可能なアミン混合物、例えばUllmanns Encyclopedia of Industrial Chemistry, 第6版, "Amines, aliphatic"の章に記載されているような脂肪アミン又は水素化されたトールアミン(Tallamine)も適している。反応に適した酸は、例えば、シクロヘキサン−１，２−ジカルボン酸、シクロヘキセン−１，２−ジカルボン酸、シクロペンタン−１，２−ジカルボン酸、ナフタレンジカルボン酸、フタル酸、イソフタル酸、テレフタル酸、及び、長鎖炭化水素基で置換されたコハク酸である。
【００８７】
特に、（Ｋ４）のクラスの成分は、少なくとも１個の第三級アミノ基を有するポリ（Ｃ2〜Ｃ20−カルボン酸）と、第一級又は第二級アミンとの油溶性の反応生成物である。前記反応生成物のベースとなる少なくとも１個の第三級アミノ基を有するポリ（Ｃ2〜Ｃ20−カルボン酸）は、好ましくは、少なくとも３個のカルボキシル基、特に３〜１２個、とりわけ３〜５個のカルボキシル基を含む。該ポリカルボン酸中のカルボン酸単位は、好ましくは２〜１０個の炭素原子を有しており、特に該単位は酢酸単位である。該カルボン酸単位は、適宜、大抵は１個以上の炭素原子及び／又は窒素原子を介して該ポリカルボン酸と結合している。好ましくは、該単位は第三級窒素原子に結合しており、該窒素原子が複数の窒素原子である場合には炭化水素鎖を介して結合している。
【００８８】
好ましくは、（Ｋ４）のクラスの成分は、一般式ＩＩａ又はＩＩｂ：
【化２】
2013529232.tif 000003
［式中、
変項Ａは、直鎖状又は分枝鎖状のＣ2〜Ｃ6−アルキレン基、又は、式ＩＩＩ：
【化３】
2013529232.tif 000004
の基を表し、
かつ、変項Ｂは、Ｃ1〜Ｃ19−アルキレン基を表す］
の少なくとも１個の第三級アミノ基を有するポリ（Ｃ2〜Ｃ20−カルボン酸）をベースとする油溶性の反応生成物である。一般式ＩＩａ及びＩＩｂの化合物は、特にＷＡＳＡの特性を有する。
【００８９】
さらに、成分（Ｋ４）の、特に一般式ＩＩａ又はＩＩｂの好ましい油溶性の反応生成物は、アミド、アミドアンモニウム塩又はアンモニウム塩であり、その際、カルボン酸基はアミド基に変換されていないか、又は１個以上のカルボン酸基がアミド基に変換されている。
【００９０】
変項Ａの直鎖状又は分枝鎖状のＣ2〜Ｃ6−アルキレン基は、例えば１，１−エチレン、１，２−プロピレン、１，３−プロピレン、１，２−ブチレン、１，３−ブチレン、１，４−ブチレン、２−メチル−１，３−プロピレン、１，５−ペンチレン、２−メチル−１，４−ブチレン、２，２−ジメチル−１，３−プロピレン、１，６−ヘキシレン（ヘキサメチレン）、及び特に１，２−エチレンである。好ましくは、変項Ａは、２〜４個、特に２又は３個の炭素原子を含む。
【００９１】
変項ＢのＣ1〜Ｃ19−アルキレン基は、例えば１，２−エチレン、１，３−プロピレン、１，４−ブチレン、ヘキサメチレン、オクタメチレン、デカメチレン、ドデカメチレン、テトラデカメチレン、ヘキサデカメチレン、オクタデカメチレン、ノナデカメチレン、及び特にメチレンである。好ましくは、変項Ｂは、１〜１０個、特に１〜４個の炭素原子を含む。
【００９２】
成分（Ｋ４）を形成するためのポリカルボン酸のための反応パートナーとしての第一級及び第二級アミンは、通常は、モノアミン、特に脂肪族モノアミンである。前記の第一級及び第二級アミンは、  −  適宜、互いに結合した  −  炭化水素基を有する、多数のアミンから選択されていてよい。
【００９３】
大抵は、成分（Ｋ４）の油溶性の反応生成物のベースとなるこれらのアミンは、第二級アミンであり、かつ一般式ＨＮ（Ｒ8）2を有しており、ここで、変項Ｒ8は双方ともに互いに無関係にそれぞれ、直鎖状又は分枝鎖状のＣ10〜Ｃ30−アルキル基、特にＣ14〜Ｃ24−アルキル基を表す。該長鎖アルキル基は、好ましくは直鎖状であるか、又はわずかな程度でのみ分枝鎖状である。通常、挙げられた第二級アミンは、その長鎖アルキル基に関して、天然由来の脂肪酸ないしその誘導体から誘導されている。好ましくは、該基Ｒ8は双方ともに同じである。
【００９４】
挙げられた第二級アミンは、アミド構造により、又はアンモニウム塩の形で、ポリカルボン酸に結合していてよく、一部のみがアミド構造として存在し、もう一方の部分がアンモニウム塩として存在していてもよい。好ましくは、遊離酸基は、殆ど又は全く存在しない。好ましくは、成分（Ｋ４）の油溶性の反応生成物は完全にアミド構造の形で存在する。
このような成分（Ｋ４）についての典型的な例は、ニトリロ三酢酸、エチレンジアミン四酢酸又はプロピレン−１，２−ジアミン四酢酸と、それぞれカルボキシル基あたり０．５〜１．５モル、特にカルボキシル基あたり０．８〜１．２モルの、ジオレイルアミン、ジパルミチンアミン、ジヤシ脂肪アミン、ジステアリルアミン、ジベヘニルアミン、又は特にジ獣脂アミン(Ditalgfettamin)との反応生成物である。特に好ましい成分（Ｋ４）は、エチレンジアミン四酢酸１モルと水素化ジ獣脂アミン４モルとからの反応生成物である。
【００９５】
成分（Ｋ４）についてのさらなる典型的な例として、２−Ｎ’，Ｎ’−ジアルキルアミドベンゾエートのＮ，Ｎ−ジアルキルアンモニウム塩、例えば無水フタル酸１モルとジ獣脂アミン２モルとからの反応生成物（その際、該ジ獣脂アミンは、水素化されていてもよいし水素化されていなくてもよい）、及び、アルケニルスピロビスラクトン１モルとジアルキルアミン、例えばジ獣脂アミン及び／又は獣脂アミン２モルとの反応生成物（その際、最後の２つのアミンは水素化されていてもよいし水素化されていなくてもよい）が挙げられる。
【００９６】
（Ｋ４）のクラスの成分についての更なる典型的な構造タイプは、第三級アミノ基を有する環式化合物、又は、ＷＯ９３／１８１１５に記載されているような、長鎖の第一級又は第二級アミンとカルボン酸含有ポリマーとの縮合物である。
【００９７】
（Ｋ５）のクラスの成分の低温流動性向上剤として適しているスルホカルボン酸、スルホン酸又はそれらの誘導体は、例えば、オルトスルホ安息香酸の油溶性のカルボン酸アミド及びカルボン酸エステルであり、ここで、ＥＰ−Ａ２６１９５７に記載されているように、スルホン酸官能基はアルキル置換されたアンモニウムカチオンを有するスルホネートとして存在している。
【００９８】
（Ｋ６）のクラスの成分の低温流動性向上剤として適しているポリ（メタ）アクリル酸エステルは、アクリル酸エステル及びメタクリル酸エステルのホモポリマー及びコポリマーである。縮合導入されたアルコールが相違する少なくとも２つの互いに異なる（メタ）アクリル酸エステルのコポリマーが好ましい。適宜、該コポリマーは、これとは異なるもう１つのオレフィン系不飽和モノマーを重合導入により含む。該ポリマーの重量平均分子量は、好ましくは５０，０００〜５００，０００である。特に好ましいポリマーは、メタクリル酸と、飽和Ｃ14〜Ｃ15−アルコールのメタクリル酸エステルとのコポリマーであり、その際、該酸基は水素化されたトールアミンで中和されている。適したポリ（メタ）アクリル酸エステルは、例えばＷＯ００／４４８５７に記載されている。
【００９９】
中間留分燃料ないしディーゼル燃料に、該低温流動性向上剤ないし種々の低温流動性向上剤の混合物が、好ましくは１０〜５０００質量ｐｐｍ、特に好ましくは２０〜２０００質量ｐｐｍ、さらに好ましくは５０〜１０００質量ｐｐｍ、特に１００〜７００質量ｐｐｍ、例えば２００〜５００質量ｐｐｍの全量で添加される。
【０１００】
適した潤滑性向上剤（潤滑性向上剤ないし摩擦調整剤）は、通常は、脂肪酸又は脂肪酸エステルをベースとする。典型的な例は、例えばＷＯ９８／００４６５６に記載されているようなトール油脂肪酸、及びグリセリンモノオレエートである。ＵＳ６７４３２６６Ｂ２に記載されている、天然油又は合成油、例えばトリグリセリドとアルカノールアミンとの反応生成物も、そのような潤滑性向上剤として適している。
【０１０１】
適した腐食防止剤は、例えばコハク酸エステルであり、とりわけ、ポリオール、脂肪酸誘導体、例えばオレイン酸エステル、オリゴマー化脂肪酸で置換されたエタノールアミン、及び、RC 4801（ドイツ、マンハイム在のRhein Chemie）又はHiTEC 536 (Ethyl Corporation)の商品名で市販されている生成物である。
【０１０２】
適した解乳化剤は、例えばアルキル置換フェノールスルホン酸のアルカリ金属塩又はアルカリ土類金属塩、及びアルキル置換ナフタレンスルホン酸のアルカリ金属塩又はアルカリ土類金属塩、及び脂肪酸のアルカリ金属塩又はアルカリ土類金属塩、さらに中性の化合物、例えばアルコールアルコキシレート、例えばアルコールエトキシレート、フェノールアルコキシレート、例えばｔ−ブチルフェノールエトキシレート又はｔ−ペンチルフェノールエトキシレート、脂肪酸、アルキルフェノール、エチレンオキシド（ＥＯ）とプロピレンオキシド（ＰＯ）との縮合生成物、例えばＥＯ／ＰＯブロックコポリマーの形のもの、ポリエチレンイミン又はポリシロキサンである。
【０１０３】
適した曇り止め剤は、例えばアルコキシ化フェノール−ホルムアルデヒド−縮合物、例えばNALCO 7D07(Nalco)及びTOLAD 2683(Petrolite)の商品名で得られる製品である。
【０１０４】
適した消泡剤は、例えばポリエーテル改質ポリシロキサン、例えばTEGOPREN 5851(Goldschmidt)、Q 25907(Dow Corning)及びRHODOSIL(Rhone Poulenc)の商品名で得られる製品である。
【０１０５】
適したセタン価向上剤は、例えば脂肪族ニトレート、例えば２−エチルヘキシルニトレート及びシクロヘキシルニトレート、並びにペルオキシド、例えばジ−ｔ−ブチルペルオキシドである。
【０１０６】
適した酸化防止剤は、例えば置換フェノール、例えば２，６−ジ−ｔ−ブチルフェノール及び６−ジ−ｔ−ブチル−３−メチルフェノール、並びにフェニレンジアミン、例えばＮ，Ｎ’−ジ−ｓ−ブチル−ｐ−フェニレンジアミンである。
【０１０７】
適した金属失活化剤は、例えばサリチル酸誘導体、例えばＮ，Ｎ’−ジサリチリデン−１，２−プロパンジアミンである。
【０１０８】
適した溶剤は、例えば非極性有機溶剤、例えば芳香族及び脂肪族炭化水素、例えばトルエン、キシレン、「ホワイトスピリット」、及びSHELLSOL(Royal Dutch/Shell Group)及びEXXSOL(ExxonMobil)の商品名で市販されている製品、並びに、極性有機溶剤、例えばアルコール、例えば２−エチルヘキサノール、デカノール及びイソトリデカノールである。このような溶剤は、大抵は、より良好な取扱い性のために溶解又は希釈をすべく、上記の添加剤及び補助添加剤と一緒にディーゼル燃料に添加される。
【０１０９】
中間留分燃料、例えばディーゼル燃料又は暖房用油は、好ましくは、通常は１００〜４００℃の沸点範囲を有する石油ラフィネートである。該石油ラフィネートは、大抵は、３６０℃までの、又はまたこれを上回る９５％点を有する留出物である。しかしまたこれは、例えば最高で３４５℃の９５％点及び最大で０．００５質量％の硫黄含分、又は例えば２８５℃の９５％点及び最大で０．００１質量％の硫黄含分により特徴付けられている、いわゆる「超低硫黄ディーゼル(Ultra Low Sulfur Diesel)」又は「シティーディーゼル(City Diesel)」であってもよい。精製により得られる鉱物性の中間留分燃料ないしディーゼル燃料に加えて、石炭ガス化又はガス液化により得られるもの［"gas to liquid"(GTL)燃料］、又はバイオマス液化により得られるもの["biomass to liquid"(BTL)燃料]が適している。上記の中間留分燃料ないしディーゼル燃料と、再生燃料、例えばバイオディーゼル又はバイオエタノールとの混合物も適している。
【０１１０】
暖房用油及びディーゼル燃料の品質は、例えばＤＩＮ  ５１６０３及びＥＮ  ５９０に詳細に規定されている(Ullmann's Encyclopedia of Industrial Chemistry, 第5版, 第A12巻, p.617以降も参照のこと)。
【０１１１】
本発明による四級化ターポリマーは、実質的に炭化水素混合物である上記の化石起源、植物起源又は動物起源からの中間留分燃料におけるその使用に加えて、そのような中間留分とバイオ燃料油（バイオディーゼル）とからの混合物における使用も可能である。このような混合物は、本発明の範囲内では「中間留分燃料」の概念にも含まれる。該混合物は市販されており、かつ、大抵はバイオ燃料油を副次的な量で、典型的には、化石起源、植物起源又は動物起源の中間留分とバイオ燃料油とからの全量に対して１〜３０質量％、特に３〜１０質量％の量で含む。
【０１１２】
バイオ燃料油は、通常は、脂肪酸エステルをベースとしており、好ましくは、実質的に植物性及び／又は動物性の油及び／又は脂肪から誘導される脂肪酸のアルキルエステルをベースとしている。アルキルエステルとは、通常は、低級アルキルエステル、特にＣ1〜Ｃ4−アルキルエステルと理解され、該アルキルエステルは、植物性及び／又は動物性の油及び／又は脂肪中に存在するグリセリド、特にトリグリセリドを、低級アルコール、例えばエタノールによりエステル交換反応することによって得られ、とりわけメタノールによりエステル交換反応することによって得られる（「ＦＡＭＥ」）。バイオ燃料油又はこのための成分として使用される、植物性及び／又は動物性の油及び／又は脂肪をベースとする典型的な低級アルキルエステルは、例えばヒマワリ油メチルエステル、パーム油メチルエステル（「ＰＭＥ」）、ダイズ油メチルエステル（「ＳＭＥ」）及び特にナタネ油メチルエステル（「ＲＭＥ」）である。
【０１１３】
中間留分燃料ないしディーゼル燃料は、硫黄含分の低いもの、即ち、硫黄０．０５質量％未満、好ましくは０．０２質量％未満、特に０．００５質量％未満、特に０．００１質量％未満の硫黄含分を有するものが特に好ましい。
【０１１４】
オットー燃料として、全ての市販のオットー燃料組成物が考慮される。ここで、典型的なものとして、ＥＮ  ２２８による商用のユーロスーパー(Eurosuper)ベース燃料が挙げられる。さらに、ＷＯ００／４７６９８による規格のオットー燃料組成物も、本発明のための考え得る使用分野である。
【０１１５】
本発明による四級化ターポリマーは、特に、直接噴射式ディーゼルエンジンにおける、とりわけコモンレール噴射システムを有するディーゼルエンジンにおける冒頭に記載した課題を克服するための、燃料組成物における、特にディーゼル燃料における燃料添加剤として適している。
【０１１６】
従って、直接噴射式ディーゼルエンジンの噴射システムにおける、特にインジェクターにおける、特にコモンレール噴射システムにおけるデポジットを低減又は防止するための燃料添加剤としての本発明による四級化ターポリマーの使用も、本発明の対象である。
【０１１７】
従って、さらに、直接噴射式ディーゼルエンジンの、特にコモンレール噴射システムを有するディーゼルエンジンの燃料消費を削減するための燃料添加剤としての本発明による四級化ターポリマーの使用も、本発明の対象である。
【０１１８】
従って、さらに、直接噴射式ディーゼルエンジンにおける、特にコモンレール噴射システムを有するディーゼルエンジンにおける出力低下（パワーロス）を最小化するための燃料添加剤としての本発明による四級化ターポリマーの使用も、本発明の対象である。
【０１１９】
以下の実施例により本発明を説明するが、しかしながらこれにより本発明を制限するものではない。
【実施例】
【０１２０】
製造例
実施例１ａ〜１ｄ：エチレン−酢酸ビニル−２−（ジメチルアミノ）エチルメタクリレート−ターポリマー  Ｔ１〜Ｔ４の製造
それぞれ相応する量の挙げられたモノマーを２００〜２２０℃でかつ１３００〜２０００バールで高圧重合することにより、本発明による四級化ターポリマーの前駆体として利用される、下記の組成［モル％］及び分子量Ｍnのエチレン−酢酸ビニル（「ＶＡｃ」）−２−（ジメチルアミノ）エチルメタクリレート（「ＤＭＡＥＭＡ」）−ターポリマー  Ｔ１〜Ｔ４を製造した：
【表１】
2013529232.tif 000005
【０１２１】
実施例２ａ：スチレンオキシドを用いた四級化ターポリマー  Ｔ１の四級化
実施例１ａからのターポリマー  Ｔ１とスチレンオキシドとを窒素雰囲気下に装入し、かつ８０℃に加熱し、酢酸を１５分以内で滴加し、次いで、Preussmann試験により遊離エポキシドがもはや検出不可能となるまで８０℃で４時間撹拌することによって、実施例１ａからのターポリマー  Ｔ１と、ＤＭＡＥＭＡ中の第三級窒素原子と等モル比のスチレンオキシドとを、等モル量の酢酸の存在で反応させた。四級化ターポリマー  Ｔｑ１−１が、収率９５％で褐色の固形物の形で得られた。
【０１２２】
実施例２ｂ：スチレンオキシドを用いた四級化ターポリマー  Ｔ１の四級化
実施例１ａからのターポリマー  Ｔ１とスチレンオキシドと酢酸とを、Preussmann試験により遊離エポキシドがもはや検出不可能となるまで、溶剤であるトルエン中で窒素雰囲気下で２５℃で４２時間撹拌することによって、実施例１ａからのターポリマー  Ｔ１と、ＤＭＡＥＭＡ中の第三級窒素原子に対して１：１．２のモル比のスチレンオキシドとを、該第三級窒素原子の量に対して２倍のモル過剰の酢酸の存在で反応させた。四級化ターポリマー  Ｔｑ１−２が、収率９６％で褐色のトルエン溶液の形で得られた。
【０１２３】
適用例
実施例３：直接噴射式ディーゼルエンジンにおける出力低下の測定
直接噴射式ディーゼルエンジンの性能に対する本発明による四級化ターポリマーの影響を試験するために、出力低下（パワーロス）を公的な試験法ＣＥＣ  Ｆ−９８−０８に依拠して測定した。出力低下は、インジェクター内のデポジットの形成に関する直接的な尺度の一つである。コモンレールシステムを有する慣用の直接噴射式ディーゼルエンジンを使用した。
【０１２４】
燃料として、市販のHaltermann社製のディーゼル燃料(RF-06-03)を使用した。該燃料に、インジェクター上のデポジットの形成を人工的に生じさせるために、亜鉛１質量ｐｐｍをジドデカン酸亜鉛溶液の形で添加した。
【０１２５】
以下の表は、４０００ｒｐｍで中断なしに１２時間継続運転した後の、相対的な出力低下の測定結果を示す。ここで、値ＰＬ  ０は、１０分後の出力値と比較した出力低下を示し、値ＰＬ  １は、１時間後の出力値と比較した出力低下を示す：
【表２】
2013529232.tif 000006
【国際調査報告】
2013529232.tif 000007
2013529232.tif 000008
2013529232.tif 000009
2013529232.tif 000010
2013529232.tif 000011
2013529232.tif 000012